(57)【要約】      （修正有）【課題】相手方の通信端末のカメラ設定を考慮した画像を相手方に送信する。【解決手段】カメラ付き携帯通信端末１０は、ＣＰＵ２８を含み、メールの送受信は、無線回路１４および信号処理回路１６によって実現される。ＣＰＵ２８は、無線回路１４および信号処理回路１６によって受信されたメールのいずれか１つを閲覧メールとして指定し、この閲覧メールに関連する関連画像が存在するか否かを判別する。判別結果が否定的であるとき既定のカメラ設定が有効化される一方、判別結果が肯定的であるとき関連画像に適合するカメラ設定が有効化される。ＣＰＵ２８は、有効化されたカメラ設定に沿って画像を作成する。作成された画像は、閲覧メールの送信元を宛先とするメールに添付される。【選択図】図１
2008053765.tif 000002
【特許請求の範囲】
【請求項１】
メールの送受信処理を実行する通信手段、
前記通信手段によって受信されたメールのいずれか１つを閲覧メールとして指定する指定手段、
前記閲覧メールに関連する関連画像が存在するか否かを判別する判別手段、
前記判別手段の判別結果が否定的であるとき既定のカメラ設定を有効化する第１有効化手段、
前記判別手段の判別結果が肯定的であるとき前記関連画像に適合するカメラ設定を有効化する第２有効化手段、
前記第１有効化手段または前記第２有効化手段によって有効化されたカメラ設定に沿って画像を作成する作成手段、および
前記作成手段によって作成された画像を前記閲覧メールの送信元を宛先とするメールに添付する添付手段を備える、カメラ付通信端末。
【請求項２】
前記判別手段は前記閲覧メールに添付された画像を前記関連画像として判別処理を実行する第１判別手段を含む、請求項１記載のカメラ付通信端末。
【請求項３】
前記判別手段は前記閲覧メールの送信元が過去に送った送信元メールに添付された画像を前記関連画像として判別処理を実行する第２判別手段をさらに含む、請求項１または２記載のカメラ付通信端末。
【請求項４】
前記関連画像は前記送信元メールに添付された画像のうち最も新しい画像である、請求項１ないし３のいずれかに記載のカメラ付通信端末。
【請求項５】
前記カメラ設定は撮像パラメータとして表示様式を含み、
前記表示様式は被写界の光学像を捉える撮像面に形成される読み出し領域を規定する、請求項１ないし４のいずれかに記載のカメラ付通信端末。
【請求項６】
前記第２判別手段は前記関連画像が一様の表示様式を有するか否かを判別する表示様式判別手段を含む、請求項５記載のカメラ付通信端末。
【請求項７】
前記表示様式からアスペクト比を算出する算出手段をさらに備え、
前記第２判別手段は前記関連画像が一様のアスペクト比を有するか否かを判別するアスペクト比判別手段をさらに含む、請求項５または６記載のカメラ付通信端末。
【請求項８】
前記第２有効化手段は前記アスペクト比判別手段の判別結果が肯定的であるとき前記関連画像のアスペクト比に適合するカメラ設定を有効化する、請求項７記載のカメラ付通信端末。
【請求項９】
前記第２有効化手段は前記アスペクト比判別手段の判別結果が否定的であるとき前記関連画像の表示様式のうち最も多い表示様式に適合するカメラ設定を有効化する、請求項７記載のカメラ付通信端末。
【請求項１０】
メールの送受信処理を実行する通信手段を備えるカメラ付通信端末のプロセッサに、
前記通信手段によって受信されたメールのいずれか１つを閲覧メールとして指定する指定手段
前記閲覧メールに関連する関連画像が存在するか否かを判別する判別ステップ、
前記判別ステップの判別結果が否定的であるとき既定のカメラ設定を有効化する第１有効化ステップ、
前記判別ステップの判別結果が肯定的であるとき前記関連画像に適合するカメラ設定を有効化する第２有効化ステップ、
前記第１有効化ステップまたは前記第２有効化ステップによって有効化されたカメラ設定に適合する画像を作成する作成ステップ、および
前記作成ステップによって作成された画像を前記閲覧メールの送信元を宛先とするメールに添付する添付ステップを実行させるための、動作制御プログラム。
【請求項１１】
メールの送受信処理を実行する通信手段を備えるカメラ付通信端末の動作制御方法であって、
前記通信手段によって受信されたメールのいずれか１つを閲覧メールとして指定する指定手段
前記閲覧メールに関連する関連画像が存在するか否かを判別する判別ステップ、
前記判別ステップの判別結果が否定的であるとき既定のカメラ設定を有効化する第１有効化ステップ、
前記判別ステップの判別結果が肯定的であるとき前記関連画像に適合するカメラ設定を有効化する第２有効化ステップ、
前記第１有効化ステップまたは前記第２有効化ステップによって有効化されたカメラ設定に適合する画像を作成する作成ステップ、および
前記作成ステップによって作成された画像を前記閲覧メールの送信元を宛先とするメールに添付する添付ステップを含む、動作制御方法。
【発明の詳細な説明】
【技術分野】
【０００１】
この発明は、カメラ付通信端末に関し、特にたとえば画像が添付されたメールを送受信する、カメラ付通信端末に関する。
【背景技術】
【０００２】
従来のこの種の装置の一例が、特許文献１に開示されている。この従来技術によれば、撮像部３に形成されるＣＣＤは、ＶＧＡサイズ（（横）６４０ドット×（縦）４８０ドット）のセンサ出力画像１４４を出力する。出力されたセンサ出力画像１４４には、ＹＣ処理およびホワイトバランス処理等の信号処理が信号処理部４によって施される。リサイズ処理部１０４は、信号処理部４から出力されたＹＵＶデータのアスペクト比（４：３）を、ＱＣＩＦサイズ（（横）１７６×（縦）１４４）に沿うようなアスペクト比（１１：９）に変換する。リサイズ処理１０４はまた、符号化画像１４１および表示画像１４２の表示サイズのうち大きなサイズと同等またはそれ以上の表示サイズとなるように、ＹＵＶデータに縮小処理を施す。この結果、記録するべき符号化画像１４１および表示するべき表示画像１４２の共通の要素（アスペクト比および最大表示サイズ）を満足するＹＵＶデータが生成される。
【特許文献１】特開２００４−１４０６１３号公報[H04N 5/865,G06T 3/40,H04N 1/393,5/225]
【発明の開示】
【発明が解決しようとする課題】
【０００３】
しかし、従来技術では、一方の通信端末の撮像設定に従って撮像された記録画像は、他方の通信端末のカメラ設定が考慮されずに、他方の通信端末に送信される。他方の通信端末のモニタには、一方の通信端末の撮像設定に沿う表示サイズで表示される。この結果、他方の通信端末のモニタには、一方の通信端末で撮像された画像が適切に表示されない場合がある。
【０００４】
それゆえに、この発明の主たる目的は、相手方の通信端末のカメラ設定を考慮して画像を送信することができる、カメラ付通信端末を提供することである。
【課題を解決するための手段】
【０００５】
請求項１の発明に従うカメラ付通信端末(10)は、メールの送受信処理を実行する通信手段(14,16)、通信手段によって受信されたメールのいずれか１つを閲覧メールとして指定する指定手段(S41,S53)、閲覧メールに関連する関連画像が存在するか否かを判別する判別手段(S101,S105,S111,S115,S121)、判別手段の判別結果が否定的であるとき既定のカメラ設定を有効化する第１有効化手段(S109)、判別手段の判別結果が肯定的であるとき関連画像に適合するカメラ設定を有効化する第２有効化手段(S103,S107,S113,S117,S123,S125)、第１有効化手段または第２有効化手段によって有効化されたカメラ設定に沿って画像を作成する作成手段(S33-S37)、および作成手段によって作成された画像を閲覧操作によって閲覧されたメールの送信元を宛先とするメールに添付する添付手段(S89,S91)を備える。
【０００６】
メールの送受信は、通信手段によって実行される。指定手段は通信手段によって受信されたメールのいずれか１つを閲覧メールとして指定し、判別手段は閲覧メールに関連する関連画像が存在するか否かを判別する。
【０００７】
判別手段の判別結果が否定的であるとき、既定のカメラ設定が第１有効化手段によって有効化される。一方、判別手段の判別結果が肯定的であるとき、閲覧メールに関連する関連画像に適合するカメラ設定が第２有効化手段によって有効化される。作成手段は、第１有効化手段または第２有効化手段によって有効化されたカメラ設定に沿って画像を作成する。作成された画像は、閲覧メールの送信元を宛先とするメールに添付手段によって添付される。
【０００８】
したがって、関連画像が存在しない場合、既定のカメラ設定に沿って画像が作成される。一方、関連画像が存在する場合、関連画像に適合するカメラ設定に沿って画像が作成される。こうして作成された画像は、閲覧メールの送信者を宛先とするメールに添付される。これによって、相手方の通信端末のカメラ設定を考慮した画像を相手方に送信することができる。
【０００９】
請求項２の発明に従うカメラ付通信端末は、請求項１に従属し、判別手段は閲覧メールに添付された画像を関連画像として判別処理を実行する第１判別手段(S101)を含む。
【００１０】
請求項２の発明によれば、判別手段に含まれる第１判別手段は、閲覧メールに添付された画像を関連画像とし、この関連画像が存在するか否かに注目する。第２有効化手段は、閲覧メールに添付された画像が存在するとき、この画像に適合するカメラ設定を有効化する。この結果、閲覧メールに添付された画像に適合するカメラ設定に調整される。
【００１１】
請求項３の発明に従うカメラ付通信端末は、請求項１または２に従属し、判別手段は閲覧メールの送信元に対応する送信元メールに添付された画像を関連画像として判別処理を実行する第２判別手段(S105,S111,S115,S121)をさらに含む。
【００１２】
請求項３の発明によれば、判別手段に含まれる第２判別手段は、閲覧メールの送信元が過去に送った送信元メールに添付された画像を関連画像とし、この関連画像が存在するか否かに注目する。これによって、過去の送信元メールに添付された画像に適合するカメラ設定に調整することができる。
【００１３】
請求項４の発明に従うカメラ付通信端末は、請求項１ないし３のいずれかに従属し、関連画像は送信元メールに添付された画像のうち最も新しい画像である。この結果、相手方の最新の画像に適合するカメラ設定に調整される。
【００１４】
請求項５の発明に従うカメラ付通信端末は、請求項１ないし４のいずれかに従属し、カメラ設定は撮像パラメータとして表示様式を含み、表示様式は被写界の光学像を捉える撮像面に形成される読み出し領域を規定する。この結果、第２有効化手段が注目するべきカメラ設定の撮像パラメータが特定される。
【００１５】
請求項６の発明に従うカメラ付通信端末は、請求項５に従属し、第２判別手段は関連画像が一様の表示様式を有するか否かを判別する表示様式判別手段(S115)を含む。これによって、相手方のカメラ設定に含まれる表示様式に適合するカメラ設定に調整される。
【００１６】
請求項７の発明に従うカメラ付通信端末は、請求項５または６に従属し、表示様式からアスペクト比を算出する算出手段(S119)をさらに備え、第２判別手段は関連画像が一様のアスペクト比を有するか否かを判別するアスペクト比判別手段(S121)をさらに含む。この結果、各々の関連画像が有するアスペクト比が注目される。
【００１７】
請求項８の発明に従うカメラ付通信端末は、請求項７に従属し、第２有効化手段(S123)は、アスペクト比判別手段の判別結果が肯定的であるとき、相手方の通信端末のカメラ設定のうちアスペクト比に適合するカメラ設定を有効化する。
【００１８】
請求項８の発明によれば、第２有効化手段は、アスペクト比判別手段の判別結果が肯定的であるとき、関連画像のアスペクト比に注目する。これによって、相手方のカメラ設定に含まれるアスペクト比に適合するカメラ設定に調整される。
【００１９】
請求項９の発明に従うカメラ付通信端末は、請求項７に従属し、第２有効化手段(S125)は、アスペクト比判別手段の判別結果が否定的であるとき、関連画像の表示様式のうち最も多い表示様式に適合するカメラ設定を有効化する。
【００２０】
請求項９の発明によれば、第２有効化手段は、アスペクト比判別手段の判別結果が否定的であるとき、関連画像の表示様式のうち最も多い表示様式に注目する。これによって、相手方が頻繁に使用するカメラ設定に含まれる表示様式に適合するカメラ設定に調整される。
【００２１】
請求項１０の発明に従う動作制御プログラムは、メールの送受信処理を実行する通信手段(14,16)を備えるカメラ付通信端末(10)のプロセッサ(28)に、通信手段によって受信されたメールのいずれか１つを閲覧メールとして指定する指定ステップ(S41,S53)、閲覧メールに関連する関連画像が存在するか否かを判別する判別ステップ(S101,S105,S111,S115,S121)、判別ステップの判別結果が否定的であるとき既定のカメラ設定を有効化する第１有効化ステップ(S109)、判別ステップの判別結果が肯定的であるとき関連画像に適合するカメラ設定を有効化する第２有効化ステップ(S103,S107,S113,S117,S123,S125)、第１有効化ステップまたは第２有効化ステップによって有効化されたカメラ設定に沿って画像を作成する作成ステップ(S33-S37)、および作成ステップによって作成された画像を閲覧メールの送信元を宛先とするメールに添付する添付ステップ(S89,S91)を実行させるための、動作制御プログラムである。
【００２２】
請求項１１発明に従う動作制御方法は、メールの送受信処理を実行する通信手段(14,16)を備えるカメラ付通信端末(10)の動作制御方法であって、通信手段によって受信されたメールのいずれか１つを閲覧メールとして指定する指定ステップ(S41,S53)、閲覧メールに関連する関連画像が存在するか否かを判別する判別ステップ(S101,S105,S111,S115,S121)、判別ステップの判別結果が否定的であるとき既定のカメラ設定を有効化する第１有効化ステップ(S109)、判別ステップの判別結果が肯定的であるとき関連画像に適合するカメラ設定を有効化する第２有効化ステップ(S103,S107,S113,S117,S123,S125)、第１有効化ステップまたは第２有効化ステップによって有効化されたカメラ設定に沿って画像を作成する作成ステップ(S33-S37)、および作成ステップによって作成された画像を閲覧メールの送信元を宛先とするメールに添付する添付ステップ(S89,S91)を含む、動作制御方法である。
【００２３】
請求項１０および１１についても、関連画像が存在しない場合、既定のカメラ設定に沿って画像が作成される。一方、関連画像が存在する場合、関連画像に適合するカメラ設定に沿って画像が作成される。こうして作成された画像は、閲覧メールの送信者を宛先とするメールに添付される。これによって、相手方の通信端末のカメラ設定を考慮した画像を相手方に送信することができる。
【発明の効果】
【００２４】
この発明によれば、関連画像が存在しない場合、既定のカメラ設定に沿って画像が作成される。一方、関連画像が存在する場合、関連画像に適合するカメラ設定に沿って画像が作成される。こうして作成された画像は、閲覧メールの送信者を宛先とするメールに添付される。これによって、相手方の通信端末のカメラ設定を考慮した画像を相手方に送信することができる。
【００２５】
この発明の上述の目的，その他の目的，特徴および利点は、図面を参照して行う以下の実施例の詳細な説明から一層明らかとなろう。
【発明を実施するための最良の形態】
【００２６】
図１を参照して、この発明の一実施例のカメラ付き携帯通信端末１０は、アンテナ１２を含む。相手方から送られてきた変調音声信号（高周波信号）は、アンテナ１２によって捉えられ、無線回路１４によって復調処理を施されるとともに、信号処理回路１６によって復号処理を施される。信号処理回路１６によって復号された音声データは、ＡＤ／ＤＡ変換回路２０によってアナログ音声信号に変換され、変換された音声信号は、アンプ２０を介してスピーカ２２から出力される。着呼操作つまりキー入力装置３８に形成された着信ボタンを押下する操作が行われると、通話可能状態となる。
【００２７】
一方、キー入力装置４６によって通話のための発呼操作が行われると、ＣＰＵ２８は、信号処理回路１６，無線回路１４およびアンテナ１２を通して、発呼信号を図示しない相手方の携帯端末に送信する。これに対して、相手方が着信操作を行うと、通話可能状態となる。
【００２８】
通話可能状態となった後にマイクロフォン２４によって取り込まれた音声信号は、アンプ２６によって増幅され、ＡＤ／ＤＡ変換回路１８によってディジタル信号である音声データに変換される。変換された音声データは、信号処理回路１６によって符号化処理を施され、さらに無線回路１４によって変調処理を施される。無線回路１４によって生成された変調音声信号は、アンテナ１２から発信される。
【００２９】
このようにして相手方との間で通話が行われている最中に、キー入力装置４６によって通話終了操作が行われると、ＣＰＵ２８は、信号処理回路１６および無線回路１４を制御して、相手方に通話終了信号を送信する。通話終了信号の送信後、ＣＰＵ２８は通話処理を終了する。また、先に相手方から通話終了信号を受信した場合も、ＣＰＵ２８は通話処理を終了する。こうして、通話機能が実現される。
【００３０】
この実施例のカメラ付き携帯通信端末１０はＣＰＵ２８を含み、ＣＰＵ２８は複数の動作モードを有する。複数の動作モードには、カメラ付き携帯通信端末１０に設けられた光学レンズ３０を介して得られる被写界の光学像を撮像するカメラモードと受信メールを閲覧する閲覧モードとが含まれる。
【００３１】
被写界の光学像は、光学レンズ３０を経てイメージセンサ３２の撮像面に照射される。図２を参照して、イメージセンサ３２は、撮像面に平面状に配列された複数の受光素子３２ｐ，３２ｐ，・・・と、複数の受光素子列にそれぞれ添付された複数の垂直転送レジスタ３２ｖ，３２ｖ，・・・と、複数の垂直転送レジスタ３２ｖ，３２ｖ，・・・の終端に設けられた水平転送レジスタ３２ｈとを有する。有効領域として、イメージセンサ３２の短辺に対応する垂直方向に９６８個の受光素子３２ｐが配置され、イメージセンサ３２の長辺に対応する垂直方向に１３１２個の受光素子３２ｐが配置される。この結果、イメージセンサ３２に形成される読み出し領域から得られるＲＡＷデータより生成されるＲＧＢデータは水平１２８０画素×垂直９６０画素に対応し、この最大読み出し領域に関連するアスペクト比は３：４（短辺：長辺）を示す。なお、被写界の垂直方向がイメージセンサ３２の垂直９６０画素と一致し、被写界の水平方向がイメージセンサ３２の水平１２８０画素と一致する。
【００３２】
図１に戻って、キー入力装置４６によってカメラモードが選択されると、カメラ設定が初期化される。具体的には、ＣＰＵ２８は、カメラ設定（撮像パラメータ）をフラッシュメモリ４０から読み出し、読み出したカメラ設定をメモリコントローラ４２を通してＲＡＭ４４に書き込む。ここで、カメラ設定には、“表示様式”および“表示位置”が含まれる。“表示様式”は、撮像面の読み出し領域を規定する水平画素数および垂直画素数によって定義され、“表示様式”の初期値は水平１２８０画素×垂直９６０画素を示す。
【００３３】
カメラ設定が初期化されると、撮像タスクが起動する。撮像タスクが起動すると、スルー画像処理つまり被写界のリアルタイム動画像（スルー画像）をＬＣＤ３８に表示させる処理が行われる。具体的には、ＣＰＵ２８は、ＲＡＭ４４に格納されたカメラ設定の“表示様式”からアスペクト比を算出し、算出されたアスペクト比から読み出し領域を指定し、そしてカメラ処理回路３４を起動させる。カメラ処理回路３４には、指定された読み出し領域に対応する読み出し命令が与えられる。
【００３４】
カメラ処理回路３４は、ＣＰＵ２８から発行された読み出し命令に従って、イメージセンサ３２の撮像面に照射された被写界の光学像に基づく生画像信号をイメージセンサ３２から繰り返し読み出す。この結果、水平１２８０画素×垂直９６０画素を有する生画像信号がイメージセンサ３２から出力される。
【００３５】
読み出された生画像信号は、カメラ処理回路３４によってディジタルデータである画像データに変換される。こうして得られた画像データの各々は、ＣＰＵ２８を通してＲＡＭ４４に一旦格納される。１フレームに対応する画像データがＲＡＭ４４に格納されると、格納された画像データはＣＰＵ２８を通してＬＣＤドライバ３６に与えられる。ＣＰＵ２８はこのとき、ＲＡＭ４４に格納されたカメラ設定の“表示位置”に対応する間引き読み出し命令をＬＣＤドライバ３６に発行する。ＬＣＤドライバ３６は、ＣＰＵ２８から発行された間引き読み出し命令に従って画像データをＬＣＤ３８に出力する。この結果、被写界を表す低解像度のスルー画像がＬＣＤ３８に再現される。
【００３６】
キー入力装置４６による撮像操作が行われると、撮像処理が実行される。つまり、カメラ処理回路３４に読み出し命令が発行され、水平１２８０画素×垂直９６０画素を有する生画像信号に基づく画像データがＲＡＭ４４に格納される。撮像操作に応答して作成された画像データがＲＡＭ４４に格納されると、ＣＰＵ２８は、ＲＡＭ４４に格納された画像データにＪＰＥＧ圧縮に関連する圧縮処理を施し、得られた圧縮画像データは再びＲＡＭ４４に格納される。
【００３７】
圧縮画像データがＲＡＭ４４に格納されると、圧縮画像データとこの圧縮画像データに関連するＥＸＩＦ（Exchangeable Image File Format）情報とがファイル形式でフラッシュメモリ４０に記録される。なお、ＥＸＩＦ情報には、合わせて記録された圧縮画像データのファイル番号とこの圧縮画像データのカメラ設定とが属性情報として形成される。
【００３８】
この結果、水平１２８０画素×垂直９６０画素を有する圧縮画像データを含む画像ファイルがフラッシュメモリ４０に記録される。こうして、このカメラ付き携帯通信端末１０のカメラ設定に沿った画像が作成される。
【００３９】
キー入力装置４６によって閲覧モードが選択されると、閲覧タスクが起動する。ＣＰＵ２８はこのとき、閲覧先を初期化し、受信されたメールのいずれか１つを閲覧するべきメールとして指定されたメール（以下、閲覧メール）をフラッシュメモリ４０からＲＡＭ４４に転送する。
【００４０】
閲覧メールがＲＡＭ４４に転送されると、ＣＰＵ２８は次に、閲覧メールのテキストデータを表示させる命令をＬＣＤドライバ３６に与える。ＬＣＤドライバ３６は、テキストデータをＲＡＭ４４から読み出し、読み出したテキストデータを与えられた表示命令に従ってＬＣＤ３８に出力する。この結果、閲覧メールのテキストがＬＣＤ３８に表示される。
【００４１】
ＣＰＵ２８はまた、閲覧メールに画像が添付されているかに注目する。閲覧メールに画像が添付されていると、ＣＰＵ２８は、閲覧メールの画像データをＲＡＭ４４から読み出し、読み出した画像データを表示させる命令をＬＣＤ３６に与える。ＬＣＤドライバ３６は、読み出された画像データを与えられた表示命令に従ってＬＣＤ３８に出力する。この結果、閲覧メールのテキストと閲覧メールの画像とがＬＣＤ３８に表示される。
【００４２】
ここで、閲覧メールの閲覧先を変更する変更操作がキー入力装置４６によって行われると、ＣＰＵ２８は、閲覧メールの閲覧先を変更操作に応答して変更する。また、閲覧メールの送信元に宛てるメールを作成する操作つまり返信操作がキー入力装置４６によって行われると、ＣＰＵ２８は、返信タスクを起動させるとともに、閲覧タスクを終了させる。さらに、終了操作がキー入力装置４６によって行われると、ＣＰＵ２８は閲覧タスクを終了させる。こうして、受信メールの閲覧が実現される。
【００４３】
画像が添付された閲覧メールに対応する返信処理について、図３（Ａ）〜図３（Ｆ）と図４（Ａ）および図４（Ｂ）とを用いて説明する。図３（Ａ）を参照して、アスペクト比が３：４を示しかつ“表示様式”が水平４８０画素×垂直６４０画素を有する画像Ｐ１（図４（Ａ）参照）とテキストＴ１とを有する閲覧メールの表示中に返信操作が行われると、選択画面（図３（Ｂ）参照）が表示される。選択画面には、“本文作成”および“撮影画像作成”を有する選択項目が形成される。
【００４４】
“本文作成”が選択されると、本文作成処理が行われ、ユーザのキー入力装置４６によって作成されたテキストＴ２（図３（Ｃ）参照）がＲＡＭ４４に格納される。本文作成処理が完了すると、送信画像表示処理が実行される。この結果、テキストＴ２を有する送信画面（図３（Ｄ）参照）がＬＣＤ３８に表示される。
【００４５】
送信画面に表示された“撮影画像作成”が選択されると、カメラ設定処理が行われるとともに、撮像タスクが起動する。カメラ設定処理では、閲覧メールに関連する関連画像が存在するか否かが注目される。ＣＰＵ２８はこのとき、添付された画像Ｐ１を関連画像とし、この画像Ｐ１のＥＸＩＦ情報の一部を成すカメラ設定をＲＡＭ４４に書き込む。ＲＡＭ４４に書き込まれたカメラ設定の“表示様式”は水平４８０画素×垂直６４０画素を示す。こうして、閲覧メールに添付された画像に適合するカメラ設定に調整される。
【００４６】
カメラ設定処理が完了すると、上述と同様の処理が実行され、水平４８０画素×垂直６４０画素に対応する読み出し命令がカメラ処理回路３４に与えられる。水平４８０画素×垂直６４０画素を有する画像データがカメラ処理回路３４から出力されると、この画像データがＣＰＵ２８を通してＲＡＭ４４に一旦格納される。ＬＣＤドライバ３６には、ＲＡＭ４４に格納された画像データがＣＰＵ２８を通して与えられるとともに、ＲＡＭ４４に格納されたカメラ設定の“表示位置”に対応する間引き読み出し命令が与えられる。ＬＣＤドライバ３６は、ＣＰＵ２８から発行された間引き読み出し命令に従って画像データをＬＣＤ３８に出力する。この結果、水平４８０画素×垂直６４０画素を有するスルー画像Ｐ２（図３（Ｅ）参照）がＬＣＤ３８に再現される。
【００４７】
キー入力装置４６による撮像操作が行われると、上述と同様に、カメラ処理回路３４に読み出し領域に対応する読み出し命令が発行され、イメージセンサ３２から出力される生画像信号に基づく画像データがＲＡＭ４４に格納され、ＲＡＭ４４に格納された画像データにＪＰＥＧ圧縮に関連する圧縮処理が施され、圧縮画像データがＲＡＭ４４に格納され、そして圧縮画像データとこの圧縮画像データに関連するＥＸＩＦ情報とをファイル形式でフラッシュメモリ４０に記録する。この結果、水平４８０画素×垂直６４０画素を有する圧縮画像データを含む画像ファイルがフラッシュメモリ４０に記録される。こうして、相手方のカメラ設定に沿った画像が作成される。
【００４８】
記録処理が完了すると、添付フラグがオン状態に設定される。さらに、画像データのファイル番号とテキストＴ２とを有する送信画面（図３（Ｆ）参照）が送信画像表示処理によってＬＣＤ３８に表示される。
【００４９】
キー入力装置４６によって送信操作が行われると、テキストＴ２に注目したテキスト送信処理が実行される。つまり、ＣＰＵ２８はテキストＴ２にパケット処理を施し、こうして得られた複数のパケットによって形成されるメールが無線回路１４を通して所望の宛先に向けて送信される。
【００５０】
テキスト送信処理が完了すると、ＣＰＵ２８は添付フラグに注目する。添付フラグがオン状態であるため、所望の宛先に向けて送信されたテキストＴ２に水平４８０画素×垂直６４０画素を有する圧縮画像データを含む画像ファイルを添付するべく、返信操作に応答して作成された圧縮画像データがフラッシュメモリ４０からＲＡＭ４４に転送され、添付画像送信処理が実行される。ＣＰＵ２８は、ＲＡＭ４４に転送された圧縮画像データにパケット処理を施し、こうして得られた複数のパケットによって形成されるメールが無線回路１４を通して所望の宛先に向けて送信される。送信処理が完了すると、添付フラグをオフ状態に設定し、返信タスクを終了させる。
【００５１】
アスペクト比が初期値と異なる画像Ｐ３が添付された閲覧メールに対しての返信処理について、図５（Ａ）および図５（Ｂ）と図６（Ａ）および図６（Ｂ）とを用いて説明する。図５（Ａ）を参照して、アスペクト比が３：５を示しかつ“表示様式”が水平２４０画素×垂直４００画素を有する画像Ｐ３（図６（Ａ）参照）とテキストＴ３とを有する閲覧メールの表示中に返信操作が行われると、選択画面（図３（Ｂ）参照）が表示される。
【００５２】
“撮影画像作成”が選択されると、カメラ設定処理が実行されるとともに、撮像タスクが起動する。閲覧メールに関連する関連画像が存在するか否かが注目される。このとき、関連画像として画像Ｐ３が注目され、この画像Ｐ３のＥＸＩＦ情報の一部を成すカメラ設定がＲＡＭ４４に書き込まれる。ＲＡＭ４４に書き込まれたカメラ設定の“表示様式”は水平２４０画素×垂直４００画素を示す。この結果、撮像タスクに応答して水平２４０画素×垂直４００画素を有する画像データがＲＡＭ４４に格納される。
【００５３】
水平２４０画素×垂直４００画素を示す画像データがＲＡＭ４４に格納されると、ＬＣＤドライバ３６は、“表示位置”に従う読み出し命令に従って、水平２４０画素×垂直４００画素を示す画像データとこの画像データを取り囲むように形成される黒画像とによって形成される表示画像データをＲＡＭ４４から読み出す。この結果、図５（Ｂ）に示すように、アスペクト比が３：５を示す水平２４０画素×垂直４００画素のスルー画像Ｐ４（図６（Ｂ）参照）がＬＣＤ３８に表示される。
【００５４】
キー入力装置４６による撮像操作が行われると、上述と同様の処理が実行される。この結果、水平２４０画素×垂直４００画素を有する圧縮画像データを含む画像ファイルがフラッシュメモリ４０に記録される。記録処理が完了すると、本文作成処理が実行され、この本文作成処理に基づくテキストと圧縮画像データのファイル番号とがＬＣＤ３８に表示される。
【００５５】
画像が添付されていない閲覧メールに対して返信操作が行われた場合、最初に、選択画面（図３（Ｂ）参照）が表示される。“撮影画像作成”が選択されると、ＣＰＵ２８はカメラ設定処理を実行するとともに、撮像タスクを起動させ、閲覧メールに関連する関連画像が存在するか否かに注目する。このとき、閲覧メールに添付された画像が存在しないため、ＣＰＵ２８は、閲覧メールを送った送信元が過去に送信したメール（以下、送信元メール）に添付された画像を関連画像とし、この関連画像が存在するか否かに注目する。この結果、過去の送信元メールが注目される。
【００５６】
送信元メールに添付された関連画像が存在する場合、ＣＰＵ２８は、送信元メールの関連画像のうち最も新しい画像のＥＸＩＦ情報の一部を成すカメラ設定をＲＡＭ４４に書き込む。これによって、相手方の最新のカメラ設定に適合するカメラ設定に調整される。送信元メールに添付された関連画像が存在しない場合、初期値のカメラ設定がＲＡＭ４４に格納される。こうして、相手のカメラ付き携帯通信端末１０のカメラ設定に沿った撮像機能が実現される。
【００５７】
ＣＰＵ２８は、メインタスクに関連して図７に示すフロー図の制御を実行し、撮像タスクに関連して図８示すフロー図の制御を実行し、閲覧タスクに関連して図９に示すフロー図の制御を実行し、そして返信タスクに関連して図１０〜図１２に示すフロー図の制御を実行する。なお、このフローに対応する制御プログラムは、フラッシュメモリ４０に記録される。
【００５８】
図７を参照して、ステップＳ１では、キー入力装置４６によってカメラモードが選択されたか否かを判別する。判別結果が肯定的であれば、ステップＳ３でカメラ設定を初期化する。つまり、カメラ設定をフラッシュメモリ４０から読み出し、読み出したカメラ設定をメモリコントローラ４２を通してＲＡＭ４４に書き込む。ステップＳ５では、撮像タスクを起動し、ステップＳ１に戻る。ステップＳ１の判別結果が否定的であれば、ステップＳ７でキー入力装置４６によって閲覧モードが選択されたか否かを判別する。判別結果が肯定的であれば、ステップＳ９で閲覧タスクを起動し、ステップＳ１に戻る。判別結果が否定的であれば、ステップＳ１１でその他の処理を実行し、ステップＳ１に戻る。
【００５９】
図８によれば、ステップＳ２１でカメラ設定に従って撮像面の読み出し領域を指定し、ステップＳ２３でカメラ処理回路３４を起動させる。ステップＳ２５では、指定された読み出し領域に対応する読み出し命令をカメラ処理回路に発行し、ステップＳ２７では、カメラ設定の“表示位置”に従う読み出し命令をＬＣＤドライバ３６に発行する。
【００６０】
ステップＳ２９では、キー入力装置４６による撮像操作が行われたか否かを判別する。判別結果が肯定的であれば、ステップＳ３１で撮像処理を実行し、こうして得られた画像データがＲＡＭ４４に格納されると、ステップＳ３３でＲＡＭ４４に格納された画像データにＪＰＥＧ圧縮に関連する圧縮処理を施す。得られた圧縮画像データは再びＲＡＭ４４に格納される。ステップＳ３５では、圧縮画像データとこの圧縮画像データに関連するＥＸＩＦ情報とをファイル形式でフラッシュメモリ４０に記録し、ステップＳ２９に戻る。
【００６１】
ステップＳ２９の判別結果が否定的であれば、ステップＳ３７でキー入力装置４６による終了操作が行われたか否かを判別する。終了操作が行われなければ、ステップＳ２９に戻る一方、終了操作が行われると、撮像タスクを終了させる。こうして、関連画像に適合するカメラ設定に沿った画像が作成される。
【００６２】
図９によれば、ステップＳ４１で閲覧先を初期化し、ステップＳ４３で閲覧メールをフラッシュメモリ４０からＲＡＭ４４に転送する。ステップＳ４５では、閲覧メールのテキストデータを表示させる命令をＬＣＤドライバ３６に与える。この結果、閲覧メールのテキストがＬＣＤ３８に表示される。
【００６３】
ステップＳ４７では、閲覧メールに画像が添付されているか否かを判別する。閲覧メールに画像が添付されていなければ、ステップＳ５１に進む一方、閲覧メールに画像が添付されていれば、ステップＳ４９で画像表示処理を行う。この結果、閲覧メールのテキストと閲覧メールの画像とがＬＣＤ３８に表示される。
【００６４】
ステップＳ５１では、変更操作が行われたか否かを判別する。変更操作が行われると、ステップＳ５３で変更操作に応答する閲覧先に変更する一方、変更操作が行われなければ、ステップＳ５５でキー入力装置４６による返信操作が行われたか否かを判別する。判別結果が肯定的であれば、ステップＳ５７で返信タスクを起動し、閲覧タスクを終了させる。判別結果が否定的であれば、ステップＳ５９でキー入力装置４６による終了操作が行われたか否かを判別する。判別結果が否定的であれば、ステップＳ５１に戻る一方、判別結果が肯定的であれば、閲覧タスクを終了させる。
【００６５】
図１０および図１１を参照して、ステップＳ６１では、選択画面表示処理を実行する。ステップＳ６３では、“撮影画像作成”が選択されたか否かを判別する。判別結果が肯定的であれば、ステップＳ６７に進む一方、判別結果が否定的であれば、ステップＳ６５で“本文作成”が選択されたか否かを判別する。判別結果が肯定的であれば、ステップＳ７７に進む一方、判別結果が否定的であれば、ステップＳ６３に戻る。
【００６６】
ステップＳ６７では、カメラ設定処理を実行し、ステップＳ６９では、撮像タスクを起動させ、ステップＳ７１で撮影タスクが終了するまで待機する。撮影タスクが終了すると、ステップＳ７３で添付フラグをオン状態に設定し、ステップＳ７５で本文作成済みであるか否か判別する。本文作成処理に応答するテキストがＲＡＭ４４に格納されていれば、ステップＳ７９に進む一方、本文作成処理に応答するテキストがＲＡＭ４４に格納されていなければ、ステップＳ７７で本文作成処理を実行する。この結果、キー入力装置４６の入力操作に応じる所望のテキストがＲＡＭ４４に格納される。
【００６７】
ステップＳ７９では、送信画面表示処理を実行し、ステップＳ８１で送信操作が行われたか否かを判別する。送信操作が行われれば、ステップＳ８５に進む一方、送信操作が行われなければ、ステップＳ８３で“撮影画像作成”が選択されたか否かを判別する。判別結果が肯定的であれば、ステップＳ６７に戻る一方、判別結果が否定的であれば、ステップＳ７９に戻る。ステップＳ８５では、テキスト送信処理を実行する。この結果、ＲＡＭ４４に格納されたテキストが所望の宛先に向けて送信される。
【００６８】
ステップＳ８７では、添付フラグがオン状態であるか否かを判別する。添付フラグがオフ状態であれば、返信タスクを終了させる一方、添付フラグがオン状態であれば、ステップＳ８９で返信操作に応答する圧縮画像データをフラッシュメモリ４０からＲＡＭ４４に転送し、ステップＳ９１で添付画像送信処理を実行し、ステップＳ９３で添付フラグをオフ状態に設定し、返信タスクを終了させる。この結果、ＲＡＭ４４に転送された圧縮画像データが所望の宛先に向けて送信される。
【００６９】
ステップＳ６７のカメラ設定処理は、図１２に示すサブルーチンに従って実行される。ステップＳ１０１では、閲覧メールに添付された画像を関連画像とし、この関連画像が存在するか否かを判別する。閲覧メールに添付された関連画像が存在しなければ、ステップＳ１０５に進む一方、閲覧メールに添付された関連画像が存在すれば、ステップＳ１０３で添付された関連画像のＥＸＩＦ情報の一部を成すカメラ設定をＲＡＭ４４に書き込み、上階層のルーチンに復帰する。この結果、閲覧メールに添付された画像に適合するカメラ設定に調整される。
【００７０】
ステップＳ１０５では、送信元メールに添付された画像を関連画像とし、この関連画像が存在するか否かを判別する。つまり、過去の送信元メールに添付された関連画像が存在するか否かを判別する。これによって、過去の送信元メールに添付された関連画像に適合するカメラ設定に調整することができる。
【００７１】
送信元メールに添付された関連画像が存在すれば、ステップＳ１０７で送信元メールの関連画像のうち最も新しい送信元メールに添付された関連画像のＥＸＩＦ情報の一部を成すカメラ設定をＲＡＭ４４に書き込み、上階層のルーチンに復帰する。この結果、相手方の最新のカメラ設定に適合するカメラ設定に調整される。
【００７２】
送信元メールに添付された関連画像が存在しなければ、ステップＳ１０９でカメラ設定をフラッシュメモリ４０から読み出し、読み出したカメラ設定をメモリコントローラ４２を通してＲＡＭ４４に書き込み、上階層のルーチンに復帰する。
【００７３】
以上の説明から分かるように、メールの送受信は、無線回路１４および信号処理回路１６によって実現される。ＣＰＵ２８は、無線回路１４および信号処理回路１６によって受信されたメールのいずれか１つを閲覧メールとして指定し、この閲覧メールに関連する関連画像が存在するか否かを判別する。
【００７４】
ＣＰＵ２８は、判別結果が否定的であるとき既定のカメラ設定を有効化する一方、判別結果が肯定的であるとき関連画像に適合するカメラ設定を有効化する。ＣＰＵ２８は続いて、有効化されたカメラ設定に沿って画像を作成する。作成された画像は、閲覧メールの送信元を宛先とするメールに添付される。
【００７５】
したがって、関連画像が存在しない場合、既定のカメラ設定に沿って画像が作成される。一方、関連画像が存在する場合、関連画像に適合するカメラ設定に沿って画像が作成される。こうして作成された画像は、閲覧メールの送信者を宛先とするメールに添付される。これによって、相手方の通信端末のカメラ設定を考慮した画像を相手方に送信することができる。
【００７６】
なお、この実施例では、送信元メールに添付された関連画像が存在するとき、直近の送信元メールに注目して“表示様式”を設定するように説明した。これに限らず、図１２に示すステップＳ１０７の処理を後述する処理に置き換えることで、フラッシュメモリ４０に記録された送信元メールに基づく最適なカメラ設定に調整することができる。
【００７７】
その他の実施例のカメラ付携帯通信端末１０は、以下で述べる点を除き、図１〜図１２実施例と同じであるため、同じ構成に関する説明は省略する。
【００７８】
図１３を参照して、メール群が関連画像を有すれば、ステップＳ１１１で送信元メールに添付された関連画像が複数存在するか否かを判別する。判別結果が否定的であれば、送信元メールに添付された関連画像は１つであるとみなし、ステップＳ１１３で送信元メールに添付された関連画像のＥＸＩＦ情報の一部を成すカメラ設定をＲＡＭ４４に書き込む。判別結果が肯定的であれば、送信元メールに添付された関連画像は複数であるとみなし、ステップＳ１１５で複数の関連画像の“表示様式”が一様であるか否かを判別する。複数の関連画像の“表示様式”が一様であれば、ステップＳ１１７で送信元メールに添付された関連画像の“表示様式”に対応するカメラ設定をＲＡＭ４４に書き込む。この結果、相手方のカメラ設定に含まれる“表示様式”に適合するカメラ設定に調整される。
【００７９】
複数の関連画像の“表示様式”が多様であれば、ステップＳ１１９で算出処理を実行する。つまり、複数の関連画像の“表示様式”からアスペクト比を算出する。ステップＳ１２１では、複数の関連画像の“表示様式”に基づくアスペクト比が一様であるか否かを判別する。アスペクト比が一様であれば、ステップＳ１２３で送信元メールに添付された関連画像の“表示様式”に基づくアスペクト比に対応するカメラ設定をＲＡＭ４４に書き込む。この結果、相手方のカメラ設定に含まれるアスペクト比に適合するカメラ設定に調整される。
【００８０】
アスペクト比が多様であれば、ステップＳ１２５で複数の関連画像の“表示様式”のうち最も多い“表示様式”に対応するカメラ設定をＲＡＭ４４に書き込む。この結果、相手方が頻繁に使用するカメラ設定に含まれる“表示様式”に適合するカメラ設定に調整される。
【００８１】
ステップＳ１１３，Ｓ１１７，Ｓ１２３およびＳ１２５の各々の処理が完了すると、ステップＳ６３に進む。こうして、フラッシュメモリ４０に記録された送信元メールに基づく最適なカメラ設定に調整することができる。
【図面の簡単な説明】
【００８２】
【図１】この発明の一実施例の構成を示すブロック図である。
【図２】図１実施例に適用されるイメージセンサの構成の一例を示す図解図である。
【図３】（Ａ）は図１実施例に適用されるＬＣＤの動作の一例を示す図解図であり、（Ｂ）は図１実施例に適用されるＬＣＤの動作の他の一例を示す図解図であり、（Ｃ）は図１実施例に適用されるＬＣＤの動作のその他の一例を示す図解図であり、（Ｄ）は図１実施例に適用されるＬＣＤの動作のさらにその他の一例を示す図解図であり、（Ｅ）は図１実施例に適用されるＬＣＤの動作の他の一例を示す図解図であり、そして（Ｆ）は図１実施例に適用されるＬＣＤの動作のその他の一例を示す図解図である。
【図４】（Ａ）は図３（Ａ）に示す画像Ｐ１の一例を示す図解図であり、（Ｂ）は図３（Ｅ）に示す画像Ｐ２の一例を示す図解図である。
【図５】（Ａ）は図１実施例に適用されるＬＣＤの動作の一例を示す図解図であり、（Ｂ）は図１実施例に適用されるＬＣＤの動作の他の一例を示す図解図である。
【図６】（Ａ）は図５（Ａ）に示す画像Ｐ１の一例を示す図解図であり、（Ｂ）は図５（Ｂ）に示す画像Ｐ２の一例を示す図解図である。
【図７】図１実施例に適用されるＣＰＵ２８の動作の一部を示すフロー図である。
【図８】図１実施例に適用されるＣＰＵ２８の動作の他の一部を示すフロー図である。
【図９】図１実施例に適用されるＣＰＵ２８の動作のその他の一部を示すフロー図である。
【図１０】図１実施例に適用されるＣＰＵ２８の動作のさらにその他の一部を示すフロー図である。
【図１１】図１実施例に適用されるＣＰＵ２８の動作の他の一部を示すフロー図である。
【図１２】図１実施例に適用されるＣＰＵ２８の動作のその他の一部を示すフロー図である。
【図１３】他の実施例に適用されるＣＰＵ２８の動作の一例を示すフロー図である。
【符号の説明】
【００８３】
１０  …  カメラ付携帯通信端末
２８  …  ＣＰＵ
３２  …  イメージセンサ
４０  …  フラッシュメモリ
４４  …  ＲＡＭ
４６  …  キー入力装置
【図１】
2008053765.tif 000003
【図２】
2008053765.tif 000004
【図３】
2008053765.tif 000005
【図４】
2008053765.tif 000006
【図５】
2008053765.tif 000007
【図６】
2008053765.tif 000008
【図７】
2008053765.tif 000009
【図８】
2008053765.tif 000010
【図９】
2008053765.tif 000011
【図１０】
2008053765.tif 000012
【図１１】
2008053765.tif 000013
【図１２】
2008053765.tif 000014
【図１３】
2008053765.tif 000015